(57)【要約】【課題】共通制御信号を配信する配信装置を階層化できる配信装置、端末装置及びシステム並びに方法を提供すること。【解決手段】複数の地域に対して配信する配信装置は、地域毎に、利用できる各無線通信システムに接続するのに必要なシステム情報を手段と、当該配信装置が配信する複数の地域のうち、一部の地域に対して配信する第２の配信装置を検出する手段と、地域毎に、該地域で利用可能である無線通信システムに接続するのに必要なシステム情報を制御情報として配信する手段とを有する。配信する手段は、検出する手段により第２配信装置が検出された場合に、該第２の配信装置が制御情報を配信すべき地域で利用可能である無線通信システムに接続するのに必要なシステム情報以外のシステム情報を制御情報として配信する。各地域では１又は複数の無線通信システムが利用可能である。【選択図】図１
2010063034.tif 000002
【特許請求の範囲】
【請求項１】
複数の地域に対して配信する配信装置であって、
各地域では１又は複数の無線通信システムが利用可能であり、
前記地域毎に、利用できる各無線通信システムに接続するのに必要なシステム情報を記憶する手段と、
当該配信装置が配信する複数の地域のうち、一部の地域に対して配信する第２の配信装置を検出する手段と、
前記地域毎に、該地域で利用可能である無線通信システムに接続するのに必要なシステム情報を制御情報として配信する手段と
を有し、
前記配信する手段は、前記検出する手段により第２配信装置が検出された場合に、該第２の配信装置が制御情報を配信すべき地域で利用可能である無線通信システムに接続するのに必要なシステム情報以外のシステム情報を制御情報として配信することを特徴とする配信装置。
【請求項２】
請求項１に記載の配信装置において、
前記配信する手段は、前記検出する手段により第２の配信装置が検出された場合に、該第２の配信装置を示す情報を制御情報として配信することを特徴とする配信装置。
【請求項３】
請求項２に記載の配信装置において、
前記記憶する手段は、配信装置の配信方法を記憶し、
前記配信する手段は、前記検出する手段により第２の配信装置が検出された場合に、該第２の配信装置の配信方法を制御情報として配信することを特徴とする配信装置。
【請求項４】
請求項１ないし３のいずれか１項に記載の配信装置において、
前記記憶する手段は、配信装置が配信する各地域に関する情報を記憶し、
前記配信する手段は、前記各地域に関する情報を配信することを特徴とする配信装置。
【請求項５】
請求項１ないし４のいずれか１項に記載の配信装置において、
前記配信する手段は、前記検出する手段において、当該配信装置が配信する複数の地域のうち、一部の地域に対して配信する第２の配信装置が検出できない場合に、当該配信装置が制御情報を配信すべき地域で利用可能である無線通信システムに接続するのに必要なシステム情報を配信することを特徴とする配信装置。
【請求項６】
請求項１ないし４のいずれか１項に記載の配信装置において、
前記検出する手段により、当該配信装置が配信する複数の地域のうち一部の地域に対して配信する第２の配信装置と、全部の地域に対して配信する第３の配信装置とが検出された場合、該検出された第２の配信装置の情報を、該第３の配信装置に通知する手段
を有することを特徴とする配信装置。
【請求項７】
請求項１ないし６のいずれか１項に記載の配信装置において、
前記配信する手段は、制御情報をデータが送信される周波数帯域に近接した周波数帯域で送信することを特徴とする配信装置。
【請求項８】
請求項１のいずれか１項に記載の配信装置において、
前記検出する手段は、定期的に第２の配信装置を検出することを特徴とする配信装置。
【請求項９】
配信装置により配信された制御情報を受信する端末装置であって、
配信装置は、当該配信装置が配信する複数の地域のうち、一部の地域に対して配信する第２の配信装置を検出した場合に、該第２の配信装置が制御情報を配信すべき地域で利用可能である無線通信システムに接続するのに必要なシステム情報以外のシステム情報及び
該第２の配信装置を示す情報を制御情報として配信し、
当該端末装置は、
配信装置により送信された制御情報に含まれる第２の配信装置を示す情報に基づいて、該第２の配信装置から制御情報を受信する手段と、
前記受信する手段により受信された第２の配信装置からの制御情報に基づいて、該第２の配信装置により配信される地域に属するかを判断する手段と、
前記判断する手段により該第２の配信装置により配信される地域に所属すると判断された場合に、該第２の配信装置と接続する手段と
を有することを特徴とする端末装置。
【請求項１０】
請求項９に記載の端末装置において、
前記配信装置により送信された制御情報には、配信装置の配信方法が含まれ、
前記受信する手段は、該配信方法に従って、第２の配信装置から制御情報を受信することを特徴とする端末装置。
【請求項１１】
請求項９又は１０に記載の端末装置において、
前記判断する手段は、前記受信する手段により受信された第２の配信装置からの制御情報に、第２の配信装置が配信する複数の地域のうち、一部の地域に対して配信する第４の配信装置の情報が含まれる場合に、該第２の配信装置により配信される地域に属しないと判断することを特徴とする端末装置。
【請求項１２】
請求項９ないし１１のいずれか１項に記載の端末装置において、
前記接続する手段は、前記判断する手段により該第２の配信装置により配信される地域に所属すると判断された場合に、該第２の配信装置により配信される地域のうち、当該端末装置が属する地域を特定することを特徴とする端末装置。
【請求項１３】
請求項１２に記載の端末装置において、
前記接続する手段は、当該端末装置が属する地域として特定した地域で利用可能できる無線通信システムに接続するのに必要な情報を取得することを特徴とする端末装置。
【請求項１４】
複数の地域に対して配信する配信装置と該配信装置により配信された情報を受信する端末装置とを有するシステムであって、
各地域では１又は複数の無線通信システムが利用可能であり、
前記配信装置は、
前記地域毎に、利用できる各無線通信システムに接続するのに必要なシステム情報を記憶する手段と、
当該配信装置が配信する複数の地域のうち、一部の地域に対して配信する第２の配信装置を検出する手段と、
前記地域毎に、該地域で利用可能である無線通信システムに接続するのに必要なシステム情報を制御情報として配信する手段と
を有し、
前記配信する手段は、前記検出する手段により第２配信装置が検出された場合に、該第２の配信装置が制御情報を配信すべき地域で利用可能である無線通信システムに接続するのに必要なシステム情報以外のシステム情報を制御情報として配信し、
前記端末装置は、
配信装置により送信された制御情報に含まれる第２の配信装置を示す情報に基づいて、該第２の配信装置から制御情報を受信する手段と、
前記受信する手段により受信された制御情報に基づいて、該第２の配信装置により配信される地域に属するかを判断する手段と、
前記判断する手段により該第２の配信装置により配信される地域に所属すると判断された場合に、該第２の配信装置と接続する手段と
を有することを特徴とするシステム。
【請求項１５】
複数の地域に対して配信する配信装置と該配信装置により配信された情報を受信する端末装置とを有するシステムにおける方法であって、
各地域では１又は複数の無線通信システムが利用可能であり、
前記配信装置は、
前記地域毎に、利用できる各無線通信システムに接続するのに必要なシステム情報を記憶するステップと、
当該配信装置が配信する複数の地域のうち、一部の地域に対して配信する第２の配信装置を検出するステップと、
前記地域毎に、該地域で利用可能である無線通信システムに接続するのに必要なシステム情報を制御情報として配信するステップと
を有し、
前記配信するステップでは、前記検出するステップにより第２配信装置が検出された場合に、該第２の配信装置が制御情報を配信すべき地域で利用可能である無線通信システムに接続するのに必要なシステム情報以外のシステム情報を制御情報として配信し、
前記端末装置は、
配信装置により送信された制御情報に含まれる第２の配信装置を示す情報に基づいて、該第２の配信装置から制御情報を受信するステップと、
前記受信する手段により受信された制御情報に基づいて、該第２の配信装置により配信される地域に属するかを判断するステップと、
前記判断する手段により該第２の配信装置により配信される地域に所属すると判断された場合に、該第２の配信装置と接続するステップと
を有することを特徴とする方法。
【発明の詳細な説明】
【技術分野】
【０００１】
本発明は、無線通信システムに関し、特に配信装置、端末装置及びシステム並びに方法に関する。
【背景技術】
【０００２】
通信を高速化するためには広帯域が必要であるが、様々な無線通信システムが運用されているために、世界的に共通に広帯域な周波数帯域を確保することは困難である。そのため、複数の周波数帯域を利用して、各帯域に周波数利用の優先度を設け、該優先度に従って、複数の無線通信システムが同一周波数帯を利用する方法が検討されている。また、世界的に共通で利用可能な周波数帯域を確保することは困難であるため、複数の候補のうち各国で選択して利用することが必要となり、端末装置は利用地域に応じて属する地域で運用されている無線通信システムを識別する手段を有する必要がある。しかしながら、超広帯域かつ多くの無線通信システムが利用されている中で、利用可能な無線帯域を識別する機能は高い消費電力及び／又は長い識別時間を必要とする。また、周波数が共用される環境において、優先度の高い無線通信システム（以下、「優先システム」と呼ぶ）への干渉を与えないように同一の周波数帯域を利用しながら優先度の低い無線通信システム（以下、「付加システム」と呼ぶ）は通信を行う。この技術には、優先システムと付加システムとの間の伝搬損失を利用して優先システムへ与える干渉量を算出し認識する技術、及び認識した干渉量に応じて付加システムの送信電力を制御する技術が含まれる。さらに、優先システムの通信時におけるトラヒック量を考慮して許容可能である干渉量を算出し、付加システムの送信電力の制御を行うこともできる。例えば、優先システムのトラヒックの少ない時間帯においては許容可能干渉量を大きくし、優先システムのトラヒックが多い時間帯に比べて大きな最大送信電力で運用するように付加システムの制御を行うこともできる。
【０００３】
このような技術の利用を行う場合、動的に周波数の利用方法が変更されてしまうために、端末装置は常に利用可能な周波数帯域及び無線通信システムを識別する機能を利用しなければならない。
【０００４】
このように周波数利用方法の動的な変化に対応する手段として、各地域で運用されている無線通信システム全般に対して、該各地域内で利用している周波数や無線方式などの情報を配信するコグニティブパイロットチャネル(CPC:  Cognitive  Pilot  Channel)が提案されている。コグニティブパイロットチャネルを適用することにより、端末装置が接続可能な無線通信システムの基本パラメータ情報をスキャニングする処理を無くすことができる。また、コグニティブパイロットチャネルを適用することにより、無線通信システムの一部のパラメータの変更の際にも上記の制御情報を変更することで対応可能である。また、コグニティブパイロットチャネルは、端末装置自体を変更することなく適用できる。
【０００５】
従って、本技術を採用することにより、端末装置の低価格化、及び無線通信システムパラメータの変更の際の対応が可能になる。また、無線通信システムパラメータの変更の際の対応が可能になることにより、周波数利用効率の向上を期待することが可能である。
【０００６】
本技術では、基地局装置がカバーするエリア内を複数に分割する。該分割されたエリアは、メッシュと呼ばれてもよい。該基地局装置がカバーするエリアでは、制御信号が配信される。そして、該基地局装置は、メッシュ単位で、無線通信システムの基本パラメータ情報などの無線資源の利用方法が複数回にわたって通知される。通知される情報は同一であってもよい。また、制御信号の配信方法として、報知型配信方法とオンデマンド型配信方法の２種類がある。報知型配信方法では、基地局装置は、当該基地局装置が担当する地域内のメッシュに対応する制御情報を定期的に配信する。オンデマンド型配信方法では、基地局装置は、端末装置からの配信要求に応じて、該端末装置が要求したメッシュに対応する制御情報を配信する。また、配信する制御信号の一部を分割し、複数の配信局及び手段を利用した配信方法を提供するHierarchical  Advertiser  CPCが提案されている。
【非特許文献１】J.  Perez-Romero、  at  al.、  "A  Novel  On-Demand  Cognitive  Pilot  Channel  enabling  Dynamic  Spectrum  Allocation、"  IEEE  Dyspan  2007.
【発明の開示】
【発明が解決しようとする課題】
【０００７】
各無線オペレータにより無線通信システムが展開されている地域であっても、共通制御信号を受信することができなければ、該無線通信システムを利用した通信を行うことができない。共通制御信号には、システム情報が含まれるためである。このため、カバレッジを確保するために、多くの配信装置が設置されることが想定される。この場合、ある配信装置に属する地域（メッシュ）は、他の複数の配信装置にも属することが想定され、該地域に対して複数の配信装置により共通制御信号が配信される。周波数利用効率を向上させる観点からは、同一の情報を複数の配信装置から配信するのは好ましくない。そこで、配信する共通制御信号に含まれるシステム情報を分割し、該分割したシステム情報を複数の配信装置及び複数の手段を利用して配信する方法が提案されている。
しかし、複数の配信装置を利用してネットワークが構成される場合における配信装置や端末装置については検討されていない。また、配信装置が配信するシステム情報については検討されていない。また、配信装置間を端末装置が移動する場合に送信される制御情報については検討されていない。
【０００８】
そこで、本配信装置、端末装置及びシステム並びに方法は、上述した問題点の少なくとも１つを解決するためになされたものであり、その目的は、共通制御信号を配信する配信装置を階層化できる配信装置、端末装置及びシステム並びに方法を提供することにある。
【０００９】
また、他の目的は、配信方法が異なる複数の配信装置を用いてネットワークを構築することができる配信装置、端末装置及びシステム並びに方法を提供することにある。
【課題を解決するための手段】
【００１０】
上記課題を解決するために、本配信装置は、
複数の地域に対して配信する配信装置であって、
各地域では１又は複数の無線通信システムが利用可能であり、
前記地域毎に、利用できる各無線通信システムに接続するのに必要なシステム情報を記憶する手段と、
当該配信装置が配信する複数の地域のうち、一部の地域に対して配信する第２の配信装置を検出する手段と、
前記地域毎に、該地域で利用可能である無線通信システムに接続するのに必要なシステム情報を制御情報として配信する手段と
を有し、
前記配信する手段は、前記検出する手段により第２配信装置が検出された場合に、該第２の配信装置が制御情報を配信すべき地域で利用可能である無線通信システムに接続するのに必要なシステム情報以外のシステム情報を制御情報として配信する。
【００１１】
本端末装置は、
配信装置により配信された制御情報を受信する端末装置であって、
配信装置は、当該配信装置が配信する複数の地域のうち、一部の地域に対して配信する第２の配信装置を検出した場合に、該第２の配信装置が制御情報を配信すべき地域で利用可能である無線通信システムに接続するのに必要なシステム情報以外のシステム情報及び
該第２の配信装置を示す情報を制御情報として配信し、
当該端末装置は、
配信装置により送信された制御情報に含まれる第２の配信装置を示す情報に基づいて、該第２の配信装置から制御情報を受信する手段と、
前記受信する手段により受信された第２の配信装置からの制御情報に基づいて、該第２の配信装置により配信される地域に属するかを判断する手段と、
前記判断する手段により該第２の配信装置により配信される地域に所属すると判断された場合に、該第２の配信装置と接続する手段と
を有する。
【００１２】
本システムは、
複数の地域に対して配信する配信装置と該配信装置により配信された情報を受信する端末装置とを有するシステムであって、
各地域では１又は複数の無線通信システムが利用可能であり、
前記配信装置は、
前記地域毎に、利用できる各無線通信システムに接続するのに必要なシステム情報を記憶する手段と、
当該配信装置が配信する複数の地域のうち、一部の地域に対して配信する第２の配信装置を検出する手段と、
前記地域毎に、該地域で利用可能である無線通信システムに接続するのに必要なシステム情報を制御情報として配信する手段と
を有し、
前記配信する手段は、前記検出する手段により第２配信装置が検出された場合に、該第２の配信装置が制御情報を配信すべき地域で利用可能である無線通信システムに接続するのに必要なシステム情報以外のシステム情報を制御情報として配信し、
前記端末装置は、
配信装置により送信された制御情報に含まれる第２の配信装置を示す情報に基づいて、該第２の配信装置から制御情報を受信する手段と、
前記受信する手段により受信された制御情報に基づいて、該第２の配信装置により配信される地域に属するかを判断する手段と、
前記判断する手段により該第２の配信装置により配信される地域に所属すると判断された場合に、該第２の配信装置と接続する手段と
を有する。
【００１３】
本方法は、
複数の地域に対して配信する配信装置と該配信装置により配信された情報を受信する端末装置とを有するシステムにおける方法であって、
各地域では１又は複数の無線通信システムが利用可能であり、
前記配信装置は、
前記地域毎に、利用できる各無線通信システムに接続するのに必要なシステム情報を記憶するステップと、
当該配信装置が配信する複数の地域のうち、一部の地域に対して配信する第２の配信装置を検出するステップと、
前記地域毎に、該地域で利用可能である無線通信システムに接続するのに必要なシステム情報を制御情報として配信するステップと
を有し、
前記配信するステップでは、前記検出するステップにより第２配信装置が検出された場合に、該第２の配信装置が制御情報を配信すべき地域で利用可能である無線通信システムに接続するのに必要なシステム情報以外のシステム情報を制御情報として配信し、
前記端末装置は、
配信装置により送信された制御情報に含まれる第２の配信装置を示す情報に基づいて、該第２の配信装置から制御情報を受信するステップと、
前記受信する手段により受信された制御情報に基づいて、該第２の配信装置により配信される地域に属するかを判断するステップと、
前記判断する手段により該第２の配信装置により配信される地域に所属すると判断された場合に、該第２の配信装置と接続するステップと
を有する。
【発明の効果】
【００１４】
開示の配信装置、端末装置及びシステム並びに方法によれば、共通制御信号を配信する配信装置を階層化できる。
【００１５】
また、開示の配信装置、端末装置及びシステム並びに方法によれば、配信方法が異なる複数の配信装置を用いてネットワークを構築することができる。
【発明を実施するための最良の形態】
【００１６】
以下、本発明の実施例を、図面を参照しつつ説明する。実施例を説明するための全図において、同一機能を有するものは同一符号を用い、繰り返しの説明は省略する。
【００１７】
本実施例に係る配信局（配信装置）は、複数の地域に対して使用される。各地域では、１又は複数の無線通信システムが運用される。各地域では、１又は複数の無線通信システムに接続するために必要となるシステム情報が、共通制御信号により端末装置に配信される。なお、該共通制御信号は、無線により配信されてもよいし、有線により配信されてもよい。また、配信局は、基地局に含まれてもよい。
【００１８】
配信局は、当該配信局に属する地域内の無線通信システムに接続するのに必要なシステム情報を記憶する。言い換えれば、配信局は、当該配信局がカバーする地域に含まれる無線通信システムに接続するのに必要なシステム情報を記憶する。また、配信局は、当該配信局に属する地域と同一の地域に配信を行う複数の他の配信局の情報を記憶するようにしてもよい。言い換えれば、配信局は、当該配信局がカバーする地域に配信を行う複数の他の配信局の情報を記憶するようにしてもよい。また、配信局は、当該配信局において配信対象となる地域のシステム情報と他の配信局の情報を配信するための制御を行う。また、配信局は、該システム情報及び他の配信局の情報を配信する。
【００１９】
（システム）
本実施例に係る配信局が適用されるネットワークについて説明する。
【００２０】
本実施例に係る配信局は、複数の地域に対して使用される。言い換えれば、複数の地域に対して、共通制御信号を配信する。各地域では、１又は複数の無線通信システムが運用される。各地域では、１又は複数の無線通信システムに接続するために必要となるシステム情報が、共通制御信号により端末装置に配信される。配信局は、当該配信局の属する（カバーする）地域内で運用されている無線通信システムに接続するために必要となる該地域内で運用されている無線通信システムの情報を有する。ここで、地域は１つのメッシュに相当するようにしてもよい。また、システムの情報（以下、システム情報と呼ぶ）には、各無線通信システムで使用される周波数情報、無線アクセス方式、運用するオペレータの情報である課金情報などが含まれてもよい。また、周波数情報には、中心周波数、帯域幅情報が含まれてもよい。また、無線アクセス方式には、無線アクセステクノロジ(RAT:  Radio  Access  Technology)情報が含まれてもよい。
【００２１】
無線オペレータにより無線通信システムが展開されている地域であっても、共通制御信号を受信できない場合には、該無線通信システムを利用して通信を行うことはできない。共通制御信号には、システム情報が含まれるためである。このため、カバレッジを確保するためにも多くの配信局が設置されることが想定される。この場合、ある配信局に属する（カバーされる）地域（メッシュ）は、他の複数の配信局にも属する(カバーされ)ことが想定される。このような複数の配信局に属する(カバーされる)地域では、複数の配信局により同一の共通制御信号が配信される。
【００２２】
本実施例では、複数の配信局から共通制御信号が配信される場合に、配信先となる地域及び／又は配信するシステム情報の種別により複数の配信局を分割する。言い換えれば、配信先となる地域及び／又は配信するシステム情報の種別により、配信局が配信する情報が決定される。
【００２３】
配信局が有する送信電力やアンテナ高などが、他の配信局とは異なる場合がある。その結果、該配信局のカバレッジが、他の配信局とは異なる場合がある。このため、ある配信局がカバーするエリア内に他の配信局が配置されることがある。
【００２４】
そこで、本実施例では、配信局を、位置及び／又はカバレッジに基づいて階層化する。
【００２５】
本実施例に係るネットワークについて、図１を参照して説明する。本実施例に係るネットワークは、複数の配信局１００（１００１−１００６）を含む。該複数の配信局は、階層化される。本実施例では、一例として、複数の配信局が、そのカバレッジ及び／又は位置に基づいて、３層に階層化される場合について説明する。２層に階層化されてもよいし、４層以上に階層化されてもよい。
【００２６】
図１では、配信局１００１、１００２、１００３、１００４、１００５及び１００６によりカバーされるエリアを、それぞれ５０１、５０２、５０３、５０４、５０５及び５０６とする。配信局１００１によりカバーされるエリア５０１には、配信局１００２及び１００３によりカバーされるエリア５０２及び５０３が含まれる。また、配信局１００２によりカバーされるエリア５０２には、配信局１００４及び１００５によりカバーされるエリア５０４及び５０５が含まれる。また、配信局１００３によりカバーされるエリア５０３には、配信局１００６によりカバーされるエリア５０６が含まれる。
【００２７】
ある配信局によりカバーされるエリアのうち、他の配信局によりカバーされるエリアは、該他の配信局により配信されるのが好ましい。例えば、第１階層に含まれる配信装置１００１によりカバーされるエリア５０１のうち、第２階層に含まれる配信局１００２及び１００３によりカバーされるエリア５０２及び５０３については、第２階層に含まれる配信局１００２及び１００３により配信されるのが好ましい。また、例えば、第２階層に含まれる配信局１００２によりカバーされるエリア５０２のうち、第３階層に含まれる配信局１００４及び１００５によりカバーされるエリア５０４及び５０５については、第３階層に含まれる配信局１００４及び１００５により配信されるのが好ましい。また、例えば、第２階層に含まれる配信局１００３によりカバーされるエリア５０３のうち、第３階層に含まれる配信局１００６によりカバーされるエリア５０６については、第３階層に含まれる配信局１００６により配信されるのが好ましい。
【００２８】
この場合には、第１階層に所属する配信局１００１は、第２階層に所属する配信局がカバーするエリア内の地域に、第２階層に所属する配信装置が共通制御信号を配信していることを通知する制御信号を配信するようにしてもよい。
【００２９】
配信するシステム情報の種別により、複数の配信局が分割される場合について、図２を参照して説明する。端末装置の回路構成を簡略化したり消費電力を削減したりするためには、運用されている無線通信システムが利用する周波数帯域に近い帯域で共通制御信号が配信されることが好ましい。そのため、本実施例では、共通制御信号の配信される帯域を無線通信システム毎に分割する。そして、該分割された無線通信システム毎の共通制御信号は、運用されている無線通信システムの周波数帯域に近い帯域で配信される。例えば、共通制御信号は、運用されている無線通信システムの周波数帯域に近接する帯域で配信されるのが好ましい。図２には、運用されている無線通信システムの周波数帯域に近接する帯域で配信される制御信号用チャネルが示される。該制御信号用チャネルは、共通制御信号と呼ばれてもよい。
【００３０】
同一エリアをカバーする配信局であっても、運用される周波数帯域が異なる場合には、各配信局は運用周波数帯域に近い周波数帯域にて、該制御信号用チャネルを配信する。そして、制御信号用チャネルが配信される帯域以外の他の周波数帯では共通制御信号を配信している周波数帯域の階層や配信局の情報を通知する制御信号を配信するようにしてもよい。本実施例では、当該配信局より階層の高い配信局を上位配信局と呼ぶ。また、本実施例では、当該配信局より階層の低い配信局を下位配信局と呼ぶ。
【００３１】
本実施例に係る配信局１００は、当該配信局１００の下位配信局の情報（以下、下位配信局構成情報と呼ぶ）を保持し、配信する。ここで、当該配信局１００の下位配信局は、当該配信局１００のカバーするエリアの少なくとも一部をカバーする。該下位配信局構成情報には、下位配信局の属性情報が含まれてもよい。さらに、該下位配信局構成情報には、下位配信局の位置情報及び／又は下位配信局のカバーするエリアを示す情報が含まれるようにしてもよい。また、下位配信局構成情報は、動的に更新するようにしてもよい。例えば、定期的に更新するようにしてもよい。このようにすることにより、トラヒック量の変動などによる周波数利用方法の動的な変更にも対応できる。例えば、トラヒックは、配信時間帯などに依存して変動する。また、このようにすることにより、配信局１００は、当該配信局の下位配信局のシステム情報を送信する必要が無いため、配信情報の効率化や周波数利用効率の向上を図ることができる。
【００３２】
また、複数の上位配信局が属する上位階層を構成するようにしてもよい。このようにすることにより、上位配信局は、当該上位配信局の下位の配信局のシステム情報を送信する必要が無いため、複数の上位配信局により同様の無線通信システム又は無線パラメータの一部又は全てを利用する場合には、更なる配信情報の効率化を図ることができる。すなわち、重複する無線通信システム又は無線パラメータの一部又は全てを配信しないようにできる。
【００３３】
本実施例に係る端末装置は、配信局から配信されるシステム情報に基づいて、接続する無線通信システムを決定する。端末装置は、接続する無線通信システムの無線パラメータに従って、同期処理や接続処理を開始する。
【００３４】
端末装置は、配信局から配信される該配信局の位置情報及び／又は対応範囲情報と当該端末装置で取得した端末位置情報とを比較して属する配信局を決定する。
【００３５】
また、端末装置は、配信局から配信される下位配信局構成情報に基づいて、当該端末装置が属する下位配信局の情報を取得する。
【００３６】
また、端末装置は、当該端末装置が属する配信局から配信される配信局情報に含まれる上位配信局情報に基づいて、該配信局から情報を得られない場合には、該配信局の上位配信局で配信されている共通制御信号を取得する。そして、端末装置は、該上位配信局により配信される共通制御信号により、接続する無線通信システムに関するシステム情報を入手できる配信局に関する情報を取得し、該配信局へ属する。例えば、端末装置が、配信地域を移動したことなどにより、該配信局情報を取得している配信局から情報を得られない場合などに好適である。
【００３７】
これらの配信装置の階層構造の全体的な概念図を図３に示す。図３によれば、配信局は、当該配信局の上位配信局へは当該配信局の構成情報（配信局構成情報）を送信する。また、配信局は、当該配信局の下位配信局へは階層化の構成情報（階層化配信局構成情報）を配信する。配信装置は、当該配信装置のカバーするエリアには、メッシュ情報及びメッシュ構成情報を配信する。また、上位配信局が複数である場合には、各上位配信局は異なるオペレータにより管理されていてもよい。例えば、上位配信局を管理するオペレータはプライマリ又はマスタCPCオペレータと呼ばれてもよい。この場合、他の上位局を管理するオペレータは、セカンダリ又は他のCPCオペレータと呼ばれてもよい。
【００３８】
本実施例に係る配信局が送信する配信情報について説明する。
【００３９】
以下、本実施例に特に関連の深い要素を強調し、他の要素は図示の簡略を図るため省略される場合がある。
【００４０】
配信局１００は、当該配信局１００がカバーする地域（メッシュ）に対して、共通制御信号を送信する。該地域には、１又は複数の無線通信システムが含まれる。配信局１００は、該配信局１００がカバーする地域で運用される無線通信システムに接続するために必要となるシステム情報を通知する。該システム情報は、共通制御信号に含まれてもよい。ここで、配信される情報は、配信局毎に分割されてもよい。具体的には、共通制御信号は、配信局毎に分割される。配信局１００が該配信局１００によりカバーされる地域で運用される無線通信システムに接続するために必要となるシステム情報を通知する場合には、コグニティブパイロットチャネル(Cognitive  Pilot  Channel:  CPC)が適用されてもよい。
【００４１】
一方、配信局１００が配信する共通制御信号には、該配信する地域で運用される無線通信システムに接続するために必要となるシステム情報の全て又は一部が含まれる。また、配信局１００が配信する共通制御信号には、該配信する地域内に存在する下位配信局の情報の全て又は一部が含まれてもよい。また、配信局１００が配信する共通制御信号には、該配信局１００が属する上位配信局の情報が含まれてもよい。
【００４２】
これまでのCPCでは、配信局に属する地域の情報を配信する手段はなく、動的に配信する配信局の構成などが変更されるだけであった。ここで、配信局の構成には、配信方法、配信周波数などが含まれる。
【００４３】
（配信情報）
配信される情報の例について、図４を参照して説明する。基本となる配信フォーマットについて説明する。
【００４４】
配信情報の基本配信フォーマットには、配信局番号(BS Index)、階層化レベルフラグ(Level Flag)及び制御信号(Control Message)が含まれる。配信局番号は固定長であってもよい。配信局番号は、情報を配信する配信局を示す情報である。階層化レベルフラグは、配信情報を送信した配信局の階層化レベルの情報を示す。制御信号は、システム情報などにより構成される配信情報が含まれる。
【００４５】
例えば、配信局番号を構成するビットが全て１であった場合には、その情報を配信する配信装置の情報であることを示すようにしてもよい。また、階層化レベルフラグが１の場合には該配信局に属する下位配信局に対する情報であることを示すようにしてもよい。
【００４６】
メッシュ制御情報信号の例について、図５を参照して説明する。
【００４７】
メッシュ制御情報信号では、配信先となる地域で運用されている無線通信システムに関連する情報が配信される。メッシュ制御情報信号には、メッシュ番号(Mesh Index)、制御信号番号(Control Index)、制御信号（Control Mssg）が含まれる。
【００４８】
例えば、メッシュ番号、制御信号番号及び制御信号は、基本配信フォーマットの制御信号の部分に含まれてもよい。この場合、配信局番号には、配信局(CPC-BS)の番号(配信局番号)が含まれてもよい。また、階層化レベルフラグには、０（零）が含まれてもよい。該零はメッシュ単位の情報を示すものであってもよい。メッシュ番号は配信先となる地域を示す情報である。制御信号番号は配信情報に含まれる配信先の地域に配信する複数の情報の種別を示す情報である。配信する情報に対する制御情報の量を示すものであってもよい。例えば、制御情報の量には、制御信号数(Contrl Mssg.数)及び各制御信号(Control Mssg.)の先頭のビットを示すリンカ情報が含まれてもよい。リンカにはビット数位置などの情報が含まれてもよい。
【００４９】
メッシュ制御情報信号に含まれる配信する制御信号(Control Mssg.)には、端末装置が接続するために必要とする各制御信号が含まれる。例えば、各制御信号には、利用オペレータ情報が含まれる。利用オペレータ情報には、利用オペレータ名、利用周波数情報、利用RAT情報、最大送信電力情報が含まれてもよい。ここで、利用周波数情報には、複数の周波数情報、例えば周波数情報１、周波数情報２が含まれてもよい。また、利用RAT情報には、複数のRAT情報が含まれてもよい。RAT情報には、同期信号情報が含まれてもよい。また、最大送信電力情報には、複数の最大送信電力情報が含まれてもよい。複数の利用オペレータ情報が含まれてもよい。
【００５０】
一方、通常のCPC配信情報には、接続するための情報が含まれる。該接続するための情報には、接続可能なオペレータを検索するための情報、接続可能なRATを検索するための情報、送受信可能な最大電力（対被干渉システム）が含まれる。
【００５１】
メッシュ構成情報信号の例について、図６を参照して説明する。
【００５２】
メッシュ構成情報信号は、メッシュ制御情報信号に含まれるメッシュ番号が全て１に指定される。この場合、配信局がカバーする該地域（メッシュ）の位置情報、該地域の範囲に関する情報が配信される。このため、メッシュ制御情報信号に含まれるメッシュ番号のビット数と、メッシュ構成情報信号により指定されるメッシュ番号のビット数が同じであることが好ましい。
【００５３】
メッシュ構成情報には、配信局が配信地域とするメッシュのメッシュ数(No.Mesh)、配信先となるメッシュのメッシュ情報(Mesh Mssg)が含まれる。例えば、メッシュ数及びメッシュ情報は、基本配信フォーマットの制御メッセージの部分に含まれてもよい。この場合、BS Indexには、配信する配信局番号が含まれてもよい。また、該当配信局が属するメッシュの情報であるため、階層化レベルフラグには、０（零）が含まれてもよい。該零はメッシュ単位の情報を示すものであってもよい。メッシュ番号は１・・・１（全て１）であってもよい。全て１に指定されることにより配信局のカバーするエリア内のメッシュ構成に関する情報を示すようにしてもよい。
【００５４】
メッシュ数は、配信局１００が配信する１又は複数の地域のうち、当該配信局がカバーする地域の数である。メッシュ情報は、複数の地域の位置情報又は地域の範囲に関する情報である。例えば、メッシュ番号、メッシュ位置、メッシュカバー範囲（例えば、１００ｍなど）、メッシュ配信方法が含まれてもよい。メッシュ配信方法は、オプションとしてもよい。メッシュ配信方法には、報知型配信、オンデマンド型配信、又は報知型配信及びオンデマンド型配信の複合型配信が含まれてもよい。このメッシュ配信方法は、メッシュ単位で配信方法が異なる場合に指定されるようにしてもよい。位置情報には地域の中心座標を緯度、経度にて表した情報が含まれてもよい。地域の範囲に関する情報には地域の中心座標からの半径を示す情報が含まれてもよい。
【００５５】
該配信局に属する下位配信局構成情報信号の例について、図７を参照して説明する。
【００５６】
下位配信局構成情報信号には、該下位配信局構成情報信号を配信する配信局を上位配信局とした場合における下位配信局に関する情報が含まれる。下位配信局構成情報信号には、下位配信局数(No. L-BS(LB)）と、下位配信局情報(L-BS#N Mssg)(Nは整数、N番目の下位配信局に対応)が含まれる。例えば、下位配信局数と、下位配信局情報は、基本配信フォーマットの制御メッセージの部分に含まれてもよい。この場合、配信局番号には、配信する配信局番号が含まれてもよい。また、下位配信局の情報を配信するため、階層化レベルフラグには１が含まれてもよい。L-メッシュ番号は１・・・１（全て１）とし、全て１に指定されることにより配信局のカバーするエリア内のメッシュ構成情報を示すようにしてもよい。
【００５７】
下位配信局情報には、下位配信局から配信される共通制御信号を受信するために必要となる情報が含まれる。図中のL-BS＃Nの#NはN番目の下位配信局の情報であることを示している。下位配信局から配信される共通制御信号を受信するために必要となる情報には、下位配信局の配信局番号や下位配信局が設置されている位置情報、下位配信局が配信する地域の範囲に関する情報、下位配信局の配信方法などの情報が含まれてもよい。ここで、下位配信局の配信方法には、周波数、無線方式、帯域幅、下位配信局との同期手法や同期信号種別、配信方法(報知型又はオンデマンド型や報知型配信及びオンデマンド型配信の複合型配信)が含まれてもよい。具体的には、下位配信局数には、下位配信局情報を配信する配信局に属する下位配信局の数が含まれる。L-BS#i情報は、下位配信局情報を配信する配信局に属する下位配信局の配信局情報が含まれる。下位配信局の配信局情報には、下位配信局の配信局番号、下位配信局が設置されている位置情報、下位配信局が配信する地域の範囲の情報（例えば、500m）、下位配信局の配信方法情報(報知型又はオンデマンド型や報知型配信及びオンデマンド型配信の複合型配信)が含まれてもよい。配信方法情報には、周波数、無線RAT、バンド、同期用信号、配信方法が含まれてもよい。
【００５８】
配信局情報信号の例について、図８を参照して説明する。
【００５９】
配信局情報には、対象となる配信局情報を配信する配信局の運用ポリシー情報、配信局番号(BS Index)、制御信号フラグ(Control Flag)、制御情報信号 (Control Mssg.)、メッシュ制御情報 (Mesh CTRL. Mssg)が含まれる。
【００６０】
配信局情報信号を示すために最初の数ビットを１・・・１（全て１）とすることが好ましい。特に配信局番号を示すビット長と同じ長さとすることにより、端末装置が配信局情報を配信しているということを判別しやすいため、好適である。
【００６１】
配信局番号は、配信局情報を配信する配信局の識別番号を示す情報である。配信局番号であってもよい。制御信号フラグは、配信局情報に含まれる制御情報を示す情報である。配信する配信局の配信方法などの情報を示すフラグであってもよい。
【００６２】
制御情報信号は配信局の配信方法を示す情報を含む．該配信情報信号は当該配信局が設置される位置情報や配信範囲、配信方法(報知型又はオンデマンド型や報知型配信及びオンデマンド型配信の複合型配信)が含まれてもよい。加えて、配信局を運営する配信オペレータの情報が含まれてもよい。配信局の位置情報や配信範囲に関する情報を配信することにより、配信局の位置情報と端末装置により検索された位置情報とが一致しない場合には、別の配信局を探すとしてもよい。端末装置の位置情報の取得には端末装置に付属するGPSによる位置検索を行うようにしてもよい。
【００６３】
配信局情報信号の制御情報信号には、制御情報信号を配信する配信局が属する上位配信局の配信情報（上位配信局の配信方法や設置位置などを含む）が含まれてもよい。配信局情報信号の制御情報信号には、配信局が配信対象とする環境や周波数帯域情報や運用情報が含まれてもよい。最上位配信局（その配信局よりも上位となる配信局が存在しない配信局）であった場合には、最上位配信局である情報として、制御信号内のビットを全て０（零）として構成してもよい。
【００６４】
報知型／オンデマンド型／複合型の配信方法を示す情報には、オンデマンド型／複合型の配信方法である場合には、制御信号の配信要求を行う上り回線のパラメータが含まれてもよい。該パラメータには、上り回線を利用するための周波数、無線RAT、周波数帯域、無線方式の情報が含まれてもよい。
【００６５】
配信対象とする環境には、例えば、屋外又は屋内の情報が含まれる。この想定する環境は、利用可能環境情報が必要な場合に通知されるようにしてもよい。
【００６６】
想定する周波数帯域には、ライセンスされた周波数帯域であるかライセンスされていない周波数帯域であるかを示す情報が含まれる。
【００６７】
配信局情報の制御情報信号には、同一階層となる配信局の運用に関する情報を含めてもよい。同階層運用情報には、他の配信局の運用オペレータや配信局冗長化手法などが含まれる。該同階層運用情報には、同階層の運用オペレータ数、運用配信局数，運用状態を示すフラグ (プライマリやセカンダリ運用を示すフラグ)、運用オペレータの情報、運用パラメータが含まれてもよい。例えば、C-bandでは、3.4GHz-3.6GHzのオペレータをプライマリとし、3.6GHz以上のオペレータをセカンダリとしてもよい。このようにすることにより、プライマリ・オペレータから最初に配信局情報を受信することにより、セカンダリ・オペレータにも接続することができ，セカンダリ・オペレータが対応する周波数帯域に対応することが可能である。
【００６８】
配信局情報に含まれるメッシュ制御信号(Mesh CTRL. Mssg.)は、配信局に属する下位配信局の設置構成に関する情報を取得するために必要となる情報や配信局に属するメッシュの構成情報を取得するために必要となる情報により構成される。例えば、下位配信局の配信局番号(L-BS Index)のビット長などを含む。
【００６９】
(配信方法)
本実施例に係る配信方法について、図９、図１０及び図１１を参照して説明する。図９は、チャネル割当状況の一例を示す。図１０は、配信局の展開例を示す。図１１は、端末装置と基地局との間におけるデータ通信を開始するまでの動作を示す。上述したように、基地局に、配信局が含まれてもよい。図９及び図１０において、配信局の運用する周波数帯域とカバーするエリアを同様のハッチングにより示す。
【００７０】
本実施例では、一例として、バンド１を利用する配信局（配信局(Band1)と呼ぶ）と、バンド２を利用する配信局（配信局(Band2)と呼ぶ）と、ハンド３を利用する配信局（配信局(Band3)と呼ぶ）が存在する場合について説明する。２つの配信局が存在する場合、４以上の配信局が存在する場合についても同様である。また、本実施例では、一例として、端末装置がバンド３を利用する配信局が属する地域に存在し，その制御信号を受信して通信を開始するまでの動作について説明する。例えば、配信局(Band1)のカバーするエリアに配信局(Band2)が存在し、配信局(Band2)のカバーするエリアに配信局(Band3)が存在してもよい。以下、配信方法の一例として、報知型配信方法を用いた場合の配信方法および端末装置の動作について説明する。
【００７１】
各配信局は報知型配信方法を採用しているため，配信局構成情報、階層化配信局構成情報、メッシュ構成情報及びメッシュ制御情報は順次、定期的に配信されているが、図面上では端末装置の動作に合わせて説明するために、端末装置の動作に合わせて選択して記述している。
【００７２】
配信局は、配信局展開（配信局設置位置情報や配信方法）の把握を行う（ステップＳ１１０２）。
【００７３】
端末装置は、接続先の検索のため、共通制御チャネルの探索を開始する（ステップＳ１１０４）。
【００７４】
端末装置は基本帯域にて配信をしている配信局(Band1)から配信されている制御情報を元に同期を行い、制御情報を取得する（ステップＳ１１０６）。該制御情報には，配信局構成情報が含まれる。該配信局構成情報には、バンド１を利用する基地局の構成情報が含まれる。該構成情報には、位置情報、RAT情報などが含まれてもよい。例えば、配信局(Band1)は、その地域全体で運用している無線通信システムの基本情報の配信を行う。端末装置は、該制御情報に含まれる配信局(Band1)の位置情報を取得する。そして、端末装置は、配信局(Band1)に属すると判断する（ステップＳ１１０８）。
【００７５】
配信局(Band1)が定期的に配信する階層化配信局構成情報（ステップＳ１１１０）を配信する。該階層化配信局構成情報には、配信局(Band1)に属する階層化配信局の構成情報が含まれる。該階層化配信局には、下位配信局及び／又は上位配信局が含まれてもよい。階層化配信局の構成情報には、階層局の位置情報、配信方法、RAT情報などが含まれてもよい。
【００７６】
端末装置は、配信局(Band1)局に属する配信局（下位配信局）の位置情報を取得する。そして、端末装置は、配信局(Band2)局に属すると判断し、配信局(Band2)に移行する（ステップＳ１１１２）。例えば、端末装置は、配信局(Band1)局に属する下位配信局の位置情報に基づいて、当該端末装置が属する位置をカバーする配信局が存在するか否かを調べる。そして、当該端末装置が属する位置をカバーする配信局が存在すると判断した場合、該配信局の周波数情報や配信方法を取得する。
【００７７】
配信局(Band2)は、バンド２の制御信号を順次、定期的に配信する．該制御情報はバンド１と同様に、配信局構成情報やバンド２の階層化配信局構成情報、メッシュ構成情報及びメッシュ制御情報が含まれる。該配信局構成情報には、配信局(Band2)局の構成情報が含まれる。該構成情報には、位置情報、RAT情報などが含まれてもよい。
【００７８】
配信局(Band2)に属すると判断した端末装置は配信局(Band2)に同期する。バンド２の制御信号のうち、バンド２の配信局構成情報を取得する（ステップＳ１１１４）。端末装置は、配信局(Band2)により配信される制御情報を受信する。端末装置は、該制御情報に含まれる配信局(Band2)の位置情報を取得する。そして、端末装置は、配信局(Band2)に属すると判断する（ステップＳ１１１６）。
【００７９】
配信局(Band2)は、階層化配信局構成情報を配信する（ステップＳ１１１８）。該階層化配信局構成情報には、配信局(Band2)に属する階層化配信局の構成情報が含まれる。該階層化配信局には、下位配信局及び／又は上位配信局が含まれてもよい。階層化配信局の構成情報には、階層局の位置情報、配信方法、RAT情報などが含まれてもよい。
【００８０】
端末装置は、配信局(Band2)局の階層化情報を取得する。そして、端末装置は、配信局(Band2)局に属する下位配信局の位置情報を取得する。そして、端末装置は、配信局(Band3)局に属すると判断し、配信局(Band2)に属する配信局(Band3)に移行する（ステップＳ１１２０）。
【００８１】
配信局(Band3)は、バンド３の制御信号を送信する（ステップＳ１１２２）。該制御情報には、配信局構成情報が含まれる。該配信局構成情報には、配信局(Band3)局の構成情報が含まれる。該構成情報には、位置情報、RAT情報などが含まれてもよい。
【００８２】
端末装置は、配信局(Band3)に同期する。そして、端末装置は、配信局(Band3)により配信される制御情報を受信する。端末装置は、該制御情報に含まれる配信局(Band3)の位置情報を取得する。そして、端末装置は、配信局(Band3)に属すると判断する（ステップＳ１１２４）。
【００８３】
配信局(Band2)は、階層化配信局構成情報を送信する（ステップＳ１１２６）。該階層化配信局構成情報には、配信局(Band3)に属する階層化配信局の構成情報が含まれる。該階層化配信局には、下位配信局及び／又は上位配信局が含まれてもよい。階層化配信局の構成情報には、階層局の位置情報、配信方法、RAT情報などが含まれてもよい。
【００８４】
端末装置は、配信局(Band3)局の階層化情報を取得する。そして、端末装置は、配信局(Band3)局に属する配信局の位置情報を取得する。そして、端末装置は、配信局(Band3)局に属すると判断する（ステップＳ１１２８）。例えば、端末装置は、配信局(Band3)局に属する配信局の位置情報に基づいて、当該端末装置が属する位置をカバーする配信局が存在するか否かを調べる。そして、当該端末装置が属する位置をカバーする配信局が存在すると判断した場合、該配信局の周波数情報や配信方法を取得する。その結果、当該端末装置は、バンド３で運用されているメッシュ内に属すると判断する。
【００８５】
配信局(Band3)は、メッシュ構成情報を送信する（ステップＳ１１３０）。該メッシュ構成情報には、配信局(Band3)局に属するメッシュ構成情報が含まれる。該メッシュ構成情報には、メッシュの位置情報、カバー範囲などの情報が含まれる。例えば、メッシュの位置情報により、端末装置が属するメッシュ情報を取得する。該メッシュ構成情報には、メッシュの番号などが含まれてもよい。
【００８６】
端末装置は、配信局(Band3)のメッシュ構成情報を取得する。そして、端末装置は、配信局(Band3)局がカバーするメッシュ＃ｉに所属すると判断する（ステップＳ１１３２）。
【００８７】
配信局(Band3)は、メッシュ制御情報を送信する（ステップＳ１１３４）。該メッシュ制御情報には、配信局(Band3)局に属するメッシュ制御情報が含まれる。該メッシュ制御情報には、当該メッシュに属するメッシュ内RAT情報や周波数情報が含まれる。
【００８８】
端末装置は、配信局(Band3)局のメッシュ制御情報を取得する。そして、端末装置は、配信局(Band3)局のメッシュ#iの運用方法を示す情報を取得する。そして、端末装置は、配信局(Band3)局がカバーする通信局と接続処理を行う（ステップＳ１１３６）。
【００８９】
端末装置は、通信局と接続し、通信を開始する（ステップＳ１１３８）。
【００９０】
図１１に示されるフローにおいて、配信局(Band1)、配信局(Band2)及び配信局(Band3)は、それぞれ配信局構成情報、階層化配信局構成情報、メッシュ構成情報及びメッシュ制御情報を周期的に送信するようにしてもよい。例えば、端末装置は、配信局構成情報、階層化配信局構成情報、メッシュ構成情報及びメッシュ制御情報の送信間隔で、各情報に対応する処理を行うようにしてもよいし、次の周期で送信される情報に基づいて、次の処理を行うようにしてもよい。
【００９１】
なお、オンデマンド型配信方法にも適用が可能である。オンデマンド型配信方法の場合には、各配信局に同期をする際に上位階層の配信局から得た配信局情報に基づいて、上り回線を利用して配信要求を行う。ただし、配信局(Band1)に関してはコグニティブパイロットチャネルの動作と同様に、予め定められた周波数帯域及び無線方式を利用する。または端末装置への配信局探索技術を実装する。
【００９２】
（端末装置の位置から所属メッシュ番号を算出する方法）
（１）配信局は、メッシュ中心位置を通知する。メッシュの中心位置は、例えば緯度、経度情報などが含まれていてもよい。
【００９３】
（２）端末装置は、当該端末装置により検出された位置情報、通知されたメッシュ中心位置に基づいて、誤差情報を算出する。例えば、誤差情報＝（端末装置により検出された位置情報−通知されたメッシュ中心位置）２により算出するようにしてもよい。
【００９４】
（３）端末装置は、当該端末装置に最も近いメッシュを所属するメッシュとする。例えば、端末装置は、(２)で求めた誤差情報に基づいて、該誤差が少ない場合のメッシュ中心位置に対応するメッシュを所属メッシュとする。
【００９５】
この方法は、報知型に好適である。オンデマンドや複合型でも適用できる。
【００９６】
（端末装置の位置から所属メッシュ番号を算出する他の方法）
（１）端末装置から配信装置への上りリンク回線を利用して、端末装置により取得された位置情報を配信装置に送信する。
【００９７】
（２）配信装置は所属メッシュ情報を算出する。
【００９８】
（３）配信装置は、端末装置へ所属メッシュ情報を配信する。
【００９９】
この方法は、オンデマンド型や複合型に適用できる。
【０１００】
（端末位置から所属する下位配信局を算出する方法）
端末装置は、当該端末装置や利用帯域などと通知された配信局の位置に基づいて、所属すべき配信局の情報を取得する。
【０１０１】
端末装置は、所属する配信局の帯域で同期して、配信局情報を再度取得する。
【０１０２】
（階層化信号利用例）
上述した配信局構成情報、階層化配信局構成情報、メッシュ構成情報及びメッシュ制御情報などの階層化信号の適用例について、図１２を参照して説明する。
【０１０３】
複数帯域が含まれる帯域を超広帯域として扱い、該超広帯域を利用して通信を行うスペクトラムアグリゲーション(Spectrum Aggregation)が検討されている。端末装置は、通信開始の際の帯域利用状況をスキャニングする処理を行う場合に、該超広帯域の中心周波数を含む帯域で共通制御信号を受信し解析する。該共通制御信号には、超広帯域の中で分けられている複数帯域の利用方法情報が記載されている。言い換えれば、共通制御信号には、複数の帯域の利用方法を示す情報が含まれる。端末装置は、該複数の帯域の利用方法を示す情報を解析することにより、当該端末装置が接続する小さい帯域へ移行し接続処理を行う。図１２には、スペクトラムアグリゲーションが適用方法の一例を示す。図１２によれば、端末装置は、超広帯域の中心周波数を含む帯域で共通制御信号を受信し解析する。該共通制御信号には、超広帯域の中で分けられている３つの帯域の利用方法を示す情報が記載されている。端末装置は、３つの帯域の利用方法を示す情報を解析し、該３つの帯域のいずれかの帯域へ移行し接続処理を行う。
【０１０４】
（他の階層化信号利用例）
上述した配信局構成情報、階層化配信局構成情報、メッシュ構成情報及びメッシュ制御情報などの階層化信号の他の適用例について、図１３を参照して説明する。
【０１０５】
帯域利用において、マルチセル環境においては隣接セルからの干渉の影響によりエリア内の一部が受信不可能地域となる場合がある。このため、１つの大きな（広い）帯域を複数の小さなバンドに分割する。そして、各バンドを基地局に割当てる。一方、屋内環境などにおいては大きな（広い）帯域をそのまま基地局に割当てて運用することが想定される。このような環境において、端末装置は、各運用方法に対応した無線方式を利用できるようにしなければならず、こうした場合、端末装置への負担が大きくなる。
【０１０６】
しかしながら、本方式を適用することにより、同一帯域においてその運用帯域幅が異なる地域が存在する場合においても、帯域の中心に共通制御信号を割当てることにより運用できる。複数の帯域に分割して運用する際には中心帯域の制御信号に各分割帯域の制御信号への情報を付加することにより運用を行うことが可能である。図１３には、帯域分割における運用方法が示される。この運用方法は、レイヤード−OFDM(Layered-OFDM)と呼ばれてもよい。また、キャリアアグリゲーション(Carrier Aggregation)と呼ばれてもよい。図１３によれば、帯域が分割されて運用される場合には、各分割帯域において、帯域内の利用状況を通知するための制御チャネルが送信される。さらに、中心周波数を含む分割帯域では、帯域利用方法を示す情報が送信される。
【０１０７】
（配信装置（その１））
上述した無線通信システムに適用される配信装置について、図１４を参照して説明する。
【０１０８】
本実施例に係る配信装置１００は、共通制御信号を配信する際に定期的に配信を行う報知型配信(Broadcast型)が適用される。
【０１０９】
配信装置１００は、タイマー１０１と、配信局情報格納部１０２と、配信制御部１０３と、情報配信部１０４と、配信スケジューラ１０５と、メッシュ情報格納部１０６とを有する。
【０１１０】
配信局情報格納部１０２は、配信する下位配信局の情報を格納する。
【０１１１】
メッシュ情報格納部１０６は、配信する共通制御情報を格納する。また、メッシュ情報格納部１０６は、情報配信部１０４により入力された配信先となる地域に対する共通制御情報又は下位配信局情報を情報配信部１０４に入力する。
【０１１２】
配信制御部１０３は、当該配信装置１００における配信に関する制御を行う。例えば、配信制御部１０３は、タイマー１０１により定期的に入力される時間情報に基づいて、配信スケジューラ１０５へ、配信する情報が地域への共通制御信号である場合には配信する地域のメッシュ番号（Mesh Index）を、配信する情報がメッシュ構成情報であればその情報、配信する情報が下位配信局構成情報であればその情報を情報配信部１０４に入力する。さらに、配信制御部１０３は、情報配信部１０４へ配信スケジューラ１０５から配信する情報が通知されることを示す情報を入力する。情報配信部１０４は、予め定められた無線方式に従って、配信情報格納部１０６又はメッシュ情報格納部１０６に格納された情報を配信する。配信スケジューラ１０５は、配信制御部１０３から通知された配信タイミングに基づいて、配信対象となる信号種別を選択する。
【０１１３】
配信制御部１０３は、タイマー１０１から入力された時刻情報などに基づいて、運用しているメッシュ構成又は下位配信局構成を変更してもよい。メッシュ構成又は下位配信局構成の変更が必要になった場合に、配信制御部１０３は、変更する構成に関する情報を配信局情報格納部１０２及び／又はメッシュ情報格納部１０６へ通知する。配信局情報格納部１０２及び／又はメッシュ情報格納部１０６は、通知された情報に基づいて、配信情報種別に対応した配信制御情報を整理する。
【０１１４】
（端末装置（その１））
本実施例に係る端末装置について、図１５を参照して説明する。端末装置４００は、配信装置１００により配信された情報を取得する。例えば、端末装置４００は、配信装置１００により定期的に配信された共通制御信号を受信する。そして、該端末装置は、当該端末装置が所属する地域の情報を取得する。例えば、端末装置４００は、報知型配信を行う配信装置１００から配信された共通制御信号を受信する。
【０１１５】
端末装置４００は、配信情報受信処理部４０１と、制御情報判定部４０２と、配信局情報処理部４０３と、メッシュ構成情報処理部４０４と、メッシュ情報処理部４０５と、配信局情報格納部４０６と、メッシュ構成情報格納部４０７と、メッシュ情報格納部４０８と、メッシュ情報取得制御部４０９と、端末位置情報取得部４１０と、接続無線システム受信処理部４１１と、接続無線システム制御部４１２とを有する。
【０１１６】
配信情報受信処理部４０１は、配信装置１００により配信された共通制御信号の受信処理を行い、ビット情報に戻す処理を行う。配信情報受信処理部４０１は、受信処理され、ビット情報に戻された信号を制御情報判定部４０２に通知する。
【０１１７】
制御情報判定部４０２は、受信処理されたビット情報から、配信されている情報の種別を判定する。制御情報判定部４０２は、配信されている情報の種別が配信局に関する情報であれば配信局情報処理部４０３へ、ビット情報により示される情報を通知する。制御情報判定部４０２は、配信されている情報の種別がメッシュ構成に関する情報であればメッシュ構成情報処理部４０４へ、ビット情報により示される情報を通知する。制御情報判定部４０２は、配信されている情報の種別がメッシュ情報に関する情報であればメッシュ情報処理部４０５へ、ビット情報により示される情報を通知する。
【０１１８】
配信局情報処理部４０３は、制御情報判定部４０２において配信局１００に関する情報と判定された場合に、該配信局に関する情報を受信する。また、配信局情報処理部４０３は、端末位置情報取得部４１０により入力された当該端末装置の位置情報と比較して、当該端末装置が所属する配信局の判断を行う。配信局情報処理部４０３は、所属の有無の判断に加えて、所属する配信局に関する情報を処理し配信局情報格納部４０６に格納するようにしてもよい。ここで、所属する配信局に関する情報には、配信局の位置情報及び範囲に関する情報以外の項目であるのが好ましい。また、配信局情報処理部４０３は、当該端末装置４００が所属しない配信局の情報については、その配信局の情報に、当該端末装置が所属しないことを示す情報を付加し、配信局情報格納部４０６に格納するようにしてもよい。
【０１１９】
メッシュ構成情報処理部４０４は、制御情報判定部４０２においてメッシュ構成情報と判定された場合に、該メッシュ構成情報を受信する。また、メッシュ構成情報処理部４０４は、端末位置情報取得部４１０により入力された当該端末装置の位置情報と比較して、当該端末装置が所属する地域の判断を行う。メッシュ構成情報処理部４０４は、当該端末装置が所属すると判断された地域の情報をメッシュ構成情報格納部４０７に格納する。メッシュ構成情報処理部４０４は、当該端末装置が所属しない地域又は所属しない階層地域の情報については、その情報に当該装置が所属しないという情報を付加し、メッシュ構成情報格納部４０７に格納するようにしてもよい。
【０１２０】
メッシュ情報処理部４０５は、制御情報判定部４０２においてメッシュ情報と判定された場合に、該メッシュ情報を受信する。また、メッシュ情報処理部４０５は、メッシュ構成情報格納部４０７に格納されたメッシュ構成情報とメッシュ情報とを比較して、当該端末装置が所属する地域のシステム情報の判断を行う。メッシュ情報処理部４０５は、判断された所属地域に関するシステム情報を判断し、該判断した所属地域に関するシステム情報をメッシュ情報格納部４０８に格納する。メッシュ情報処理部４０５は、当該端末装置が所属しない地域の情報については、その情報に当該端末装置が所属しないことを示す情報を付加し、メッシュ情報格納部４０８に格納するようにしてもよい。
【０１２１】
メッシュ情報格納部４０８は、接続無線システム制御部４１２から接続先となりえる無線通信システムのシステム情報を要求する要求信号を受け取り、該当するシステム情報を接続無線システム情報処理部４１１及び接続無線システム制御部４１２へ通知する。
【０１２２】
メッシュ情報取得制御部４０９は、配信情報受信処理部４０１より入力された共通制御信号の受信通知に対応して、配信局情報格納部４０６へ所属する配信局情報を、制御情報判定部４０３へ通知させる。また、メッシュ情報取得制御部４０９は、配信情報受信処理部４０１より入力された共通制御信号の受信通知に対応して、メッシュ構成情報格納部４０７へ所属するメッシュ構成情報を、制御情報判定部４０３へ通知させる。
【０１２３】
また、メッシュ情報取得制御部４０９は、端末位置情報取得部４１０へ、当該端末装置の位置情報を出力させるように通知する。
【０１２４】
また、メッシュ情報取得制御部４０９は、接続無線システム制御部４１２から接続先となる無線通信システムの周波数帯情報が通知された場合には、その情報を配信局情報格納部４０６又はメッシュ構成情報格納部４０７に通知する。また、メッシュ情報取得制御部４０９は、該当する配信局の情報が存在すればメッシュ情報処理部４０５へ通知する。また、メッシュ情報取得制御部４０９は、該当する配信局が配信する周波数帯域が異なる場合には、配信情報受信処理部４０１へ該当周波数帯域及び同期信号種別などを通知し、その周波数帯で配信されている共通制御信号を受信する。
【０１２５】
（配信装置（その２））
上述した無線通信システムに適用される他の配信装置について、図１６を参照して説明する。
【０１２６】
本実施例に係る配信装置１００は、共通制御信号を配信する際に端末装置１００からの要求に応じて配信を行うオンデマンド型配信(On-Demand型)が適用される。
【０１２７】
配信装置１００は、配信局情報格納部１０２と、配信制御部１０３と、情報配信部１０４と、メッシュ情報格納部１０６と、要求信号受信部１０７と、要求信号解析部１０８とを有する。
【０１２８】
要求信号受信部１０７は、端末装置１００から送信された要求信号を受信する。要求信号受信部１０７は、該要求信号に含まれるビット情報を要求信号解析部１０８に入力する。
【０１２９】
要求信号解析部１０８は、入力されたビット情報に基づいて、要求信号を送信した端末装置の位置情報又は要求信号を送信した端末装置の所属するメッシュ番号(Mesh  Index)に関する情報を取得する。そして、要求信号解析部１０８は、取得した情報を、配信制御部１０３に入力する。例えば、端末装置が利用する無線通信システムが確定している場合には、該無線通信システムで使用される周波数帯域情報や利用無線方式などの情報も通知することが望ましい。
【０１３０】
配信制御部２０３は、情報配信部１０４へ配信するメッシュ番号を通知する。情報配信部１０４は、配信局情報格納部１０２及び／又はメッシュ情報格納部１０６へメッシュ番号に対応する情報通知の依頼を行う。情報配信部１０４は、メッシュ番号に対応する地域のシステム情報を取得した際には、該システム情報を配信する。
【０１３１】
配信制御部１０３は、要求信号解析部１０８から配信要求を依頼されている地域の情報に対する頻度などの情報を利用して、運用しているメッシュ構成を変更するようにしてもよい。メッシュ構成の変更が必要になった場合に、配信制御部１０３は、変更する構成に関する情報を配信局情報格納部１０２及び／又はメッシュ情報格納部１０６へ通知する。配信局情報格納部１０２及び／又はメッシュ情報格納部１０６は、通知された情報に基づき、配信情報の種別に対応した配信制御情報を整理する。
【０１３２】
（端末装置（その２））
本実施例に係る端末装置について、図１７を参照して説明する。端末装置４００は、配信装置１００により配信された情報を取得する。例えば、端末装置４００は、当該端末装置が所属する地域のシステム情報を保持しない場合に、配信局１００へ配信要求を行う。そして、該端末装置は、配信要求に従って配信される共通制御信号を受信し、当該端末装置が所属する地域の情報を取得する。共通制御信号の受信処理方法については、端末装置（その１）において示される手法と同様である。このため、共通制御信号を要求する処理に関する部分について説明する。本実施例に係る端末装置は、図１５を参照して説明した端末装置に要求情報送信部４１３を有する。
【０１３３】
取得された地域のシステム情報がメッシュ情報格納部４０７に保持されている。接続無線システム制御部４１２は、無線通信システムに接続する際に接続可能な無線通信システムの情報を取得するために情報要求をメッシュ情報格納部４０８に行う。端末装置１００が所属する地域の情報がない場合には、メッシュ情報格納部４０８はメッシュ情報取得制御部４０９へ所属する地域における共通制御信号の要求依頼を通知する。メッシュ情報取得制御部４０９は要求依頼を受信すると、配信局情報格納部４０６へ所属配信局の配信局番号の出力依頼、及びメッシュ構成情報格納部４０７へ所属する地域のメッシュ番号の出力依頼を行う。出力依頼を受け取った配信局情報格納部４０６は所属する配信局の情報を取得していれば配信局番号、取得していなければ配信局情報要求依頼を通知する。出力依頼を受け取ったメッシュ構成情報格納部４０７はメッシュ構成情報を取得している場合には対応するメッシュ番号、メッシュ構成情報を取得していない場合にはメッシュ構成情報要求依頼を通知する。メッシュ情報取得制御部４０９は、配信局情報格納部４０６及びメッシュ構成情報格納部４０７からの通知に基づき、要求情報送信部４１３へ要求信号を送信するように依頼する。配信局情報を保持していない場合には配信局情報の配信要求、メッシュ構成情報を保持していない場合には所属する配信局の配信局番号を含むメッシュ構成情報の配信要求、メッシュ情報を保持していない場合には、所属する配信局の配信局番号及び所属する地域のメッシュ番号を含むメッシュ情報の配信要求を行う。要求情報送信部４１３は通知された要求信号依頼に応じて、要求信号を送信する。
【０１３４】
（配信装置（その３））
上述した無線通信システムに適用される配信装置について、図１８を参照して説明する。
【０１３５】
本実施例に係る配信装置１００は、共通制御信号を配信する際に定期的に配信を行いながらも端末装置４００からの要求に応じて配信を行う複合型配信を使用する。言い換えれば、配信装置１００には、報知型配信及びオンデマンド型配信が適用される。
【０１３６】
配信装置１００は、タイマー１０１と、配信局情報格納部１０２と、配信制御部１０３と、情報配信部１０４と、配信スケジューラ１０５と、メッシュ情報格納部１０６と、要求信号受信部１０７と、要求信号解析部１０８とを有する。
【０１３７】
複合型配信では、報知型配信を行うための基本機能に加えて、端末装置１００からの要求信号を受信処理する要求信号受信部１０７及び要求信号解析部１０８が含まれる。各機能については前述した機能と、配信制御部１０３及び配信スケジューラ１０５が異なる。
【０１３８】
配信制御部１０３は、タイマー１０１からの時刻情報及び要求信号解析部１０８からの要求信号情報に基づいて制御を行う。配信制御部１０３は、時刻情報に基づいて、配信スケジューラ１０５へ配信依頼を行う。また、配信制御部１０３は、要求信号情報に基づいて、情報配信部１０４へ配信依頼を行うとともに、配信スケジューラ１０５へ要求された配信情報に関する情報を通知する。配信スケジューラ１０５は、端末装置１００から要求され、配信された情報に基づいて、内部のスケジューリング処理を更新する。
【０１３９】
当該配信装置１００に属する地域内において、該地域が他の配信局にも属する場合に、他の配信局により運用されているシステム情報を配信された場合、当該配信装置は他の配信局にて該当地域で運用されているシステム情報が配信されていることを示す情報を配信する。さらに、当該配信装置１００に属する地域で運用されている無線システムの周波数や無線方式（RAT）ごとに配信局を分割し、システム情報の配信及び他の配信局の配信手段を示す情報の配信を行う。他の配信局の配信手段を示す情報には、配信方法、配信周波数、配信無線方式、配信方式に同期するための構成情報が含まれてもよい。
【０１４０】
このような配信局にすることにより、配信装置が配信すべき情報量を削減することができ、配信効率の向上及び周波数利用効率の改善を見込むことができる。
【０１４１】
さらに、(a)利用されている無線通信システムに近い周波数帯域にて対応する制御信号を配信する機能及び／又は(b)配信局から他の配信局の配信手段を通知する機能を配信装置が有することにより、端末装置のRF回路の簡略化、制御信号取得時の同期処理を簡略化できる。その結果、端末装置の消費電力削減を行うことができる。他の配信局の配信手段の情報には、配信方法、配信周波数、配信無線方式、配信方式に同期するための構成情報が含まれてもよい。
【０１４２】
説明の便宜上、本発明が幾つかの実施例又は項目に分けて説明されるが、各区分けは本発明に本質的ではなく、実施例又は項目に別々に記載された事項が必要に応じて組み合わせて使用されてもよい。発明の理解を促すため具体的な数値例を用いて説明がなされるが、特に断りのない限り、それらの数値は単なる一例に過ぎず適切な如何なる値が使用されてもよい。
【０１４３】
本実施例によれば、配信局がカバーする全地域に、１又は複数の配信局を配置できるため、配信局の階層化を行うことができる。
【０１４４】
本実施例によれば、配信局がカバーする全地域に、１又は複数の異なる配信周波及び／又は配信無線方式を採用する配信局を配置できる。この場合においても、配信局の階層化を行うことができる。
【０１４５】
本実施例によれば、共通制御チャネルを配信する配信局の構成を階層化させることにより、端末装置が実際に通信を行う無線帯域に近い帯域で配信することができる。このため、端末装置における周波数帯域のスキャニング処理の簡略化が可能となる。共通制御チャネルの配信される周波数帯と通信を行う周波数帯域とが近接しているため、制御信号の受信品質と通信時の信号の受信品質に大きくかけ離れたものにはならないことが想定される。このため、配信局と基地局装置が同一位置に存在する場合にはカバー可能な領域の差を小さくすることができる。
【０１４６】
本実施例によれば、周波数方向を階層化することにより、１つの周波数帯域に制御信号が固まることがなく、周波数割当を柔軟にすることが可能である。
【０１４７】
本実施例によれば、全無線通信システムが利用する無線資源情報を配信する共通制御チャネルの配信方法に、配信するセル構成、及び周波数／配信無線方式構成に階層化構成を加えることにより、配信効率を向上させ、周波数利用効率を改善することができる。
【産業上の利用可能性】
【０１４８】
本発明は特定のシステムに限定されず、適切な如何なる移動通信システムに適用されてもよい。例えば本発明は、W-CDMAシステム、HSDPA/HSUPA方式のシステム、LTE方式のシステム、IMT-Advancedシステム、WiMAX、 Wi-Fi方式のシステム等に適用されてもよい。
【０１４９】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。実施例又は項目の区分けは本発明に本質的ではなく、２以上の実施例又は項目に記載された事項が必要に応じて組み合わせて使用されてよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【０１５０】
【図１】一実施例に係る配信局の階層化を示す概念図である。
【図２】一実施例に係る配信局における周波数利用方法を示す概念図である。
【図３】一実施例に係る複数の配信局の階層化を示す概念図である。
【図４】一実施例に係る配信局により配信される制御情報信号の基本フォーマットの一例を示す説明図である。
【図５】一実施例に係る配信局により配信されるメッシュ制御情報信号の一例を示す説明図である。
【図６】一実施例に係る配信局により配信されるメッシュ構成情報信号の一例を示す説明図である。
【図７】一実施例に係る配信局により配信される下位配信局構成情報信号の一例を示す説明図である。
【図８】一実施例に係る配信局により配信される配信局情報信号の一例を示す説明図である。
【図９】一実施例に係る配信局の動作を説明するためのチャネル利用方法の一例を示す説明図である。
【図１０】一実施例に係る配信局の動作を説明するための配信局の展開の一例を示す概念図である。
【図１１】一実施例に係る端末装置及び配信局の動作を示すフロー図である。
【図１２】一実施例に係る配信装置における帯域利用方法と制御信号使用方法の一例を示す説明図である。
【図１３】一実施例に係る配信装置における帯域利用方法と制御信号使用方法の一例を示す説明図である。
【図１４】一実施例に係る配信装置を示す機能ブロック図（その１）である。
【図１５】一実施例に係る端末装置を示す機能ブロック図（その１）である。
【図１６】一実施例に係る配信装置を示す機能ブロック図（その２）である。
【図１７】一実施例に係る端末装置を示す機能ブロック図（その２）である。
【図１８】一実施例に係る配信装置を示す機能ブロック図（その３）である。
【符号の説明】
【０１５１】
５０（５０１−５０６）  セル
１００（１００１−１００６）  配信装置
１０１  タイマー
１０２  配信局情報格納部
１０３  配信制御部
１０４  情報配信部
１０５  配信スケジューラ
１０６  メッシュ情報格納部
１０７  要求信号受信部
１０８  要求信号解析部
４００  端末装置
４０１  配信情報受信処理部
４０２  制御情報判定部
４０３  配信局情報処理部
４０４  メッシュ構成情報処理部
４０５  メッシュ情報処理部
４０６  配信局情報格納部
４０７  メッシュ構成情報格納部
４０８  メッシュ情報格納部
４０９  メッシュ情報取得制御部
４１０  端末位置情報取得部
４１１  接続無線システム受信処理部
４１２  接続無線システム制御部
４１３  要求情報送信部
【図１】
2010063034.tif 000003
【図２】
2010063034.tif 000004
【図３】
2010063034.tif 000005
【図４】
2010063034.tif 000006
【図５】
2010063034.tif 000007
【図６】
2010063034.tif 000008
【図７】
2010063034.tif 000009
【図８】
2010063034.tif 000010
【図９】
2010063034.tif 000011
【図１０】
2010063034.tif 000012
【図１１】
2010063034.tif 000013
【図１２】
2010063034.tif 000014
【図１３】
2010063034.tif 000015
【図１４】
2010063034.tif 000016
【図１５】
2010063034.tif 000017
【図１６】
2010063034.tif 000018
【図１７】
2010063034.tif 000019
【図１８】
2010063034.tif 000020